(57)【要約】【課題】測定高さが変わっても、測定値の読み取りを作業者が姿勢を変えることなく楽な姿勢のままで行うことができるようにしたスライド式のスケールを提供する。また、目盛板（スケール）の出し入れが容易であって、計測時での作業者の負担をより低減できるようにしたスライド式のスケールを提供する。【解決手段】外箱１０に閉鎖端側から所定距離ａの位置に目盛読み取り位置としての目印２１を付す。外箱１０に入れ込まれる目盛板６０には、前記目盛読み取り位置に相当する箇所に外箱１０の長さｂに相当する数値が最小値の目盛６１として付されており、その目盛６１は下端側に向けて次第に数値が大きくなる。外箱１０の長手方向に沿って移動固定自在な動滑車部材５０を備え、目盛板６０の下端は作動紐３７を介して動滑車部材５０に繋がっており、動滑車部材５０を引き下ろすことにより、外箱１０内から目盛板６０は上方にスライドして飛び出す。【選択図】図１
0003135560.tif 000002
【実用新案登録請求の範囲】
【請求項１】
一端が開放し他端が閉鎖した長さがｂである外箱と、該外箱内にその開放端側から突出できるようにスライド可能に挿入された目盛板とを備えたスライド式スケールであって、
前記外箱には閉鎖端側から所定距離ａ（但し、ａ＜ｂ）の位置に目盛読み取り位置としての目印が付されてあり、かつ少なくとも前記目印が付された位置では挿入された目盛板に付された目盛が外部から読みとれるようになっており、さらに、前記目盛板には、その下端が前記外箱の底面に当接した状態で前記目盛読み取り位置に相当する箇所に前記長さｂに相当する数値が最小値の目盛として付されており、該目盛は下端側に向けて次第に数値が大きくなる目盛となっていることを特徴とするスライド式スケール。
【請求項２】
前記所定距離ａが１５０ｃｍ〜１８０ｃｍの範囲の距離であることを特徴とする請求項１に記載のスライド式スケール。
【請求項３】
前記外箱の長手方向に沿って移動固定自在な動滑車と、前記目盛板の下端近傍に一端側を固定した作動紐とをさらに備え、前記作動紐は前記外箱の開放端側および前記動滑車を経由した後、その他端側が前記外箱の上方位置に固定されていることを特徴とする請求項１または２に記載のスライド式スケール。
【請求項４】
前記外箱は、前記動滑車が配置する側の側面に磁性体金属板をさらに備え、前記動滑車は磁力により前記磁性体金属板に固定できるようになっていることを特徴とする請求項３に記載のスライド式スケール。
【請求項５】
前記外箱の少なくとも前記目印を付した側面は透明な樹脂板で作られており、前記動滑車は前記目印を付した側面とは反対側の側面において移動固定自在に配置されていることを特徴とする請求項３または４に記載のスライド式スケール。
【請求項６】
前記スライド式スケールは植物の稈長測定用のスライド式スケールであることを特徴とする請求項１〜５のいずれかに記載のスライド式スケール。
【考案の詳細な説明】
【技術分野】
【０００１】
本考案はスライド式スケールに関し、限定はされないが、植物の稈長（草丈）測定に特に好適なスライド式スケールに関する。
【背景技術】
【０００２】
圃場等において、植物の生育調査（特性調査）が行われる。測定頻度の高い形質調査の一つに植物の稈長（草丈）があり、測定に際しては、通常、２ｍのスケールを用いて計測している。稈長が２ｍを越えない作物の場合には格別の問題は生じないが、例えばソルガムのような長稈の作物の場合、稈長が２ｍを大きく越えるものがあり、２ｍのスケールでは測定が困難となる。より長尺（３ｍあるいは４ｍ）のスケールを用いれば、安定した稈長測定が可能である。しかし、他種類の植物が栽培されており、かつ防鳥網を備えている試験研究用圃場のような場所でそのような長尺のスケールを用いて作業を行うことは、適切でない。
【０００３】
そのために、従来から、試験研究用圃場では、稈長が２ｍ以上の作物に対しても、２ｍスケールを用い稈長測定することが行われている。その場合、作物の適当な部位を押さえ、それを目印として２度に分けて測定し、２つの測定値を合計するようにしている。この方法では、植物を押さえるときに植物を破損する（稈を折るなど）恐れがあるために、慎重な作業が求められる。また、２度に分けて計測するため作業効率が悪く、２つの数値を合算して記入するときにも、ミスのない作業が必要とされる。
【０００４】
長さを計測する測定機器として、スライド式（入れ子式）のスケールが知られており、例えば１ｍの単位スケールを３本のスライド式（入れ子式）として、最大長が３ｍとなるようなスライド式スケールが存在する。
【考案の開示】
【考案が解決しようとする課題】
【０００５】
従来知られたスライド式スケールを使用して植物の稈長を測定する場合、２ｍを越える作物であっても、植物を押さえ付けて２度に分けて稈長を測定することは不要となり、植物を破損する等の不都合は解消する。しかし、入れ子式のスケールは測定値に応じて伸縮させる必要があるために、作業効率が充分とはいえない。また、測定値を読みとる目盛の位置が低く、測定時に屈み込むなどの姿勢を要求されるため、多数の検体の測定を行う場合の作業者に与える負荷が大きくなるのを避けられない。また、一般に、スケールが３段に分かれているため、長さに応じて読みとる位置を変える必要があり、計測が煩雑となる。
【０００６】
さらに、一般計測用の入れ子式スケールは、スケール間のホールド性が良く、計測方向にかかわらず安定して測定可能であるが、そのことが、圃場における生育調査のように、多数の草丈の異なるサンプルを扱うことが求められるような場合には、利点であるはずのスケール間のホールド性の高さが、操作時の逆に「堅さ」となって作業者への負担となっている。また、スケールの出し入れをスケールを直接手で掴んで行うことから、圃場での作業中に、土を巻き込んでしまいスケールの出し入れが困難となる場合も起こる。
【０００７】
本考案は、上記のような課題に鑑みてなされたものであり、スライド式のスケールでありながら、測定高さが変わっても、測定値の読み取りを作業者が姿勢を変えるとなく楽な姿勢のままで行うことができるようにした、より改良されたスライド式のスケールを提供することを課題とする。また、目盛板（スケール）の出し入れが容易であって、計測時での作業者の負担をより低減できるようにした、改良されたスライド式のスケールを提供することを課題とする。
【課題を解決するための手段】
【０００８】
上記課題を解決するための請求項１に記載のスライド式スケールは、一端が開放し他端が閉鎖した長さがｂである外箱と、該外箱内にその開放端側から突出できるようにスライド可能に挿入された目盛板とを備えたスライド式スケールであって、前記外箱には閉鎖端側から所定距離ａ（但し、ａ＜ｂ）の位置に目盛読み取り位置としての目印が付されてあり、かつ少なくとも前記目印が付された位置では挿入された目盛板に付された目盛が外部から読みとれるようになっており、さらに、前記目盛板には、その下端が前記外箱の底面に当接した状態で前記目盛読み取り位置に相当する箇所に前記長さｂに相当する数値が最小値の目盛として付されており、該目盛は下端側に向けて次第に数値が大きくなる目盛となっていることを特徴とする。
【０００９】
上記のスライド式スケールを用いて植物の稈長を測定するには、スライド式スケールを垂直に立てた姿勢で、目盛板を外箱から上方に引き出し、目盛板の上端を被測定体の上端に一致させた状態とする。その状態で外箱に付してある目盛読み取り位置である目印位置に現れる目盛板の目盛を読みとることにより、作業者は、当該被測定体の稈長を知ることができる。外箱に付す目盛読み取り位置としての目印を、作業者の身長を考慮して適切な高さ位置とすることにより、多数の被測定体において、その高さが変わっても、作業者は、姿勢を変えることなく楽な姿勢のままで、測定値の読み取りを行うことができる。
【００１０】
請求項２に記載するスライド式スケールでは、上記のスライド式スケールにおいて、前記所定距離ａが１５０ｃｍ〜１８０ｃｍの範囲の距離であることを特徴とする。この距離ａは、作業者の平均的身長を基礎として定められる値であり、１５０ｃｍ〜１８０ｃｍであることが好ましいが、この範囲に限られないのは当然である。もし、前記距離（外箱の長さ）ｂ＝２００ｃｍであり、距離ａが１６０ｃｍとすれば、２ｍスケールである目盛板を外箱に入れ込んでおくことにより、最大３．６ｍまでの稈長の計測が可能となる。
【００１１】
請求項３に記載のスライド式スケールは、上記のスライド式スケールにおいて、前記外箱の長手方向に沿って移動固定自在な動滑車と、前記目盛板の下端近傍に一端側を固定した作動紐とをさらに備え、前記作動紐は前記外箱の開放端側および前記動滑車を経由した後、その他端側が前記外箱の上方位置に固定されていることを特徴とする。
【００１２】
このスライド式スケールでは、前記動滑車を外箱に沿って上下方向に移動することにより、その移動距離の２倍の距離だけ、目盛板を外箱に対して上下方向に移動させることができる。すなわち、目盛板を外箱に対してスライド移動させるのに、作業者は目盛板に直接手を触れる必要はなく、目盛板の移動は容易となる。
【００１３】
請求項４に記載のスライド式スケールは、上記のスライド式スケールにおいて、前記外箱は、前記動滑車が配置する側の側面に磁性体金属板をさらに備え、前記動滑車は磁力により前記磁性体金属板に固定できるようになっていることを特徴とする。このスライド式スケールでは、動滑車の移動と固定が極めて容易であり、また任意の位置に動滑車を確実に固定できるので、計測度での作業者の負担は一層低減される。
【００１４】
請求項５に記載のスライド式スケールは、上記のスライド式スケールにおいて、前記外箱の少なくとも前記目印を付した側面は透明な樹脂板で作られており、前記動滑車は前記目印を付した側面とは反対側の側面において移動固定自在に配置されていることを特徴とする。外箱の少なくとも前記目印を付した側面を透明な樹脂板とすることにより、目盛板の目盛が読みやすくなり、また目盛板も滑らかにスライドするようになる。
【００１５】
請求項６に記載のスライド式スケールは、上記のスライド式スケールが、植物の稈長測定用のスライド式スケールであることを特徴とする。本考案によるスライド式スケールは、植物の稈長測定用に特に好適に用いられるが、これに限らず、一般的な長さ測定用の機器として利用することもできる。その場合に、前記したようにスライド式スケールを垂直姿勢で用いる使用態様に加えて、傾斜姿勢や水平姿勢で用いる使用態様も当然に生じてくるが、そのようなしよう態様でも、適正に長さを測定できることは勿論である。
【考案の効果】
【００１６】
本考案によるスライド式のスケールは、測定高さが変わっても、作業者の姿勢を変えることなく、測定値の読み取りを行うことができるので、作業者の負担を大きく低減することができる。また、目盛板（スケール）の出し入れが容易であることからも、計測時での作業者の負担を低減することができる。本考案によるスライド式のスケールは、限定されるものではないが、特に試験研究用圃場における植物の稈長測定に効果的に用いることができる。
【考案を実施するための最良の形態】
【００１７】
以下、本考案によるスライド式スケールを、図面を参照した実施形態の説明により、さらに詳細に説明する。図１は本考案によるスライド式スケールの１実施の形態を示す斜視図、図２はそれを分解して示す斜視図、図３はそれを背面からみて示す斜視図である。また、図４はその使用状態の一例を示している。
【００１８】
スライド式スケールＡは、図１に示すように、基本的に、外箱１０と目盛板６０とで構成される。外箱１０は、上端側が開放し下端側が閉鎖した直方体形状であり、前面材２０と中間材３０と背面材４０とからなる。図示の例において、外箱１０の上下方向の長さｂは２００ｃｍ、横幅ｃは５ｃｍ、厚さｄは２．８ｃｍであるが、外箱１０の寸法はこれに限らない。
【００１９】
前面材２０は、透明な材料（例えば、透明なアクリル樹脂あるいはガラス材）で作られており、下から距離ａ（この例ではａ＝１６０ｃｍであるがこれに限らない）のところに、目盛読み取り位置となる目印２１が付けられている。なお、前面材は、後に説明するように、少なくとも前記目印２１の周囲が透明であればよく、その場合には、その部分のみを透明な材料で作り、他の部分は木や金属のような材料で作ることもできる。
【００２０】
中間材３０は、前記前面材２０と対向する側に、深さｅ、横幅ｆである第１の切り欠き３１を有している。該第１の切り欠き３１の上端は開放しており、下端は底部３２により閉じられている。さらに、前記第１の切り欠き３１に相当する個所の横幅方向のほぼ中央位置には、その下端から上方端に向けて、裏面にまで貫通する幅の狭い貫通孔３３が形成されている。なお、前記第１の切り欠き３１の深さｅは、数ｍｍ程度が好適である。また、中間材３０は、木材、樹脂材、金属材等の任意の材料で作ることができ、また、平板の両側にアングル材や角材を取り付けることによって、前記第１の切り欠き３１を形成することもできる。
【００２１】
背面材４０は、前記中間材３０に形成した貫通孔３３に対向する個所に、前記貫通孔３３と上下方向の長さはほぼ同じであるが横幅がやや大きくされた第２の切り欠き４１を有している。該第２の切り欠き４１の上方は幅の狭い第３の切り欠き４２を介して背面材４０の上端に開放しており、前記第３の切り欠き４２の側方は切り溝４３によって背面材４０の裏面側に開放している。背面材４０は、中間材３０と同様、木材、樹脂材、金属材等の任意の材料で作ることができる。
【００２２】
背面材４０の裏面側には、図３に示すような各部材が取り付けられる。すなわち、前記した切り溝４３内には適宜の手段により滑車４４が自由回転できるように取り付けられ、その下方位置には、一対の案内用滑車４５、４６が取り付けられる。さらにその下方には、好ましくは長さ１００ｃｍ前後の磁性体金属板（例えば鉄板）４７が、背面材４０のほぼ下半分の領域を覆うようにして取り付けられる。また、前記した滑車４４の近傍には、ピン４８が取り付けられる。５０は動滑車部材であり、該動滑車部材５０は、枠体５１と、該枠体５１に回転自由に軸支された動滑車５２と、枠体５１の一面に固定された磁石板５３とで構成されている。この動滑車部材５０は、前記鉄板４７と磁石板５３とが磁力接合をすることにより、磁石板５３の任意の位置で位置決め固定することができる。
【００２３】
目盛板６０は、竹材、樹脂材、金属材のような材料で作られており、表面には目盛６１が付されている。目盛板６０の厚さは前記中間材３０に形成した第１の切り欠き３１の深さｅと等しいかやや薄く、横幅も前記第１の切り欠き３１の横幅ｆと等しいかやや狭い。長さは任意であるが、この例では前記第１の切り欠き３１の上下方向の長さと等しくしてある。目盛板６０の目盛６１の付し方は後述する。
【００２４】
上記の各部材からなるスライド式スケールＡの組み立ては次のようにして行う。最初に、中間材３０に形成した第１の切り欠き３１内に目盛板６０を入れる。その状態で、図２に示すように、中間材３０の背面から、そこに形成した貫通孔３３内に、木ねじのような適宜の棒材３５を抜け止め用のワッシャ３６を介して差し込み、その先端を目盛板６０の下端近傍に固定する。また、棒材３５の後端部には、作動紐３７の一端を固定する。
【００２５】
次に、前面材２０を、適宜の手段により、中間材３０の前面に固定する。この例において、前面材２０は全体が透明なアクリル板であり、前面材２０を通して目盛板６０の目盛６１を読み取ることができる。
【００２６】
次に、前記した作動紐３７を上方に引き上げた姿勢で、中間材３０と背面材４０を適宜の手段で一体に固定する。そのときに、図３に示されるように、前記作動紐３７の自由端側を、背面材４０に形成した前記第２の切り欠き４１、第３の切り欠き４２、および切り溝４３に取り付けた滑車４４を通して、外側に引き出すようにする。最後に、引き出しておいた作動紐３７を、滑車４４を介して、前記一対の案内用滑車４５、４６に掛けわたし、さらに、前記鉄板４７上の適宜の位置に固定してある動滑車部材５０の動滑車５２に掛けわたした後、上方に引き上げて、前記したピン４８に他端を固定する。なお、図３において、４９は、そのようにして掛け渡した作動紐３７が外れないようにするためのカスガイである。
【００２７】
その状態で、スライド式のスケールＡを垂直姿勢に立ち上げると、目盛板６０は、前面材２０と中間材３０との間に前記第１の切り欠き３１によって形成された空洞内を下端に向けて落下し、その下端が第１の切り欠き３１の底部３２に接した姿勢で停止する。その姿勢が、図４の左側の図に示される。図示のように、目盛板６０には、前記のように停止した状態で、前記前面材２０に付された目盛読み取り位置のための目印２１に対応する箇所に、外箱１０（スライド式スケールＡの長さｂ）の長さｂに相当する数値（すなわち、この例ではｂ＝２００ｃｍ）が最小値の目盛６１として付されており、該目盛６１は、目盛板６０の下端側に向けて次第に数値が大きくなる目盛となっている。また、その姿勢で、前記した動滑車部材５０が前記鉄板４７の上端近傍の位置となるように、作動紐３７の長さを調整しておく。
【００２８】
圃場において、植物の稈長を計測するに当たっては、図４の左側の図に示される姿勢、すなわち計測しようとする植物Ｂに沿った垂直な姿勢として、スライド式のスケールＡを置く。もし、植物Ｂの稈長（すなわち、穂首までの長さ）が丁度２００ｃｍの場合には、その計測値２００ｃｍは、前面材２０に付した前記目印２１の位置における目盛板６０の目盛６１として現れるので、作業者はほぼスライド式のスケールＡをそのまま保持した姿勢で、その値を読み取ることができる。
【００２９】
稈長が２００ｃｍを超える植物の場合には、作業者は背面に取り付けてある動滑車部材５０を下方に向けて移動させる。その移動は作動紐３７を介して目盛板６０に伝わり、動滑車部材５０の移動距離の２倍の距離だけ目盛板６０が上方にスライドする。目盛板６０の先端が測定すべき植物Ｂの穂首の位置に達した時点で、作業者は動滑車部材５０の移動を停止して、動滑車部材５０を鉄板４７に固定する。その状態が図４の右側の図に示される。図示の例は、稈長が２６０ｃｍであり、作業者が動滑車部材５０を３０ｃｍ下方に移動させることによって、目盛板６０は、外箱１０の上端から６０ｃｍ引き出されている。そして、その状態で、計測値（稈長値）２６０ｃｍは、前記した稈長が２００ｃｍのときと同様に、前面材２０に付した目印２１の位置における目盛板６０の目盛６１として現れるので、この場合にも、作業者はほぼスライド式のスケールＡをそのまま保持した姿勢で、その値を読み取ることができる。
【００３０】
すなわち、計測しようとする植物の稈長にかかわらず、作業者は安定した姿勢でもって、言い換えれば同じ位置で計測値を読み取ることができるので、作業者にかかる負担は大きく低減する。また、図示したスライド式のスケールＡでは、２００ｃｍ長の２本式スライド式スケールでありながら、最大で３６０ｃｍ（＝２００ｃｍ（スライド式スケールＡの長さｂ）＋１６０ｃｍ（前面材２０に付した目印２１の位置ａ））までの稈長の計測が可能となる。さらに、目盛板６０のスライドも動滑車部材５０の移動で行うことができるので、作業はきわめて容易である。
【００３１】
なお、上記の説明では、目盛板６０として、外箱１０とほぼ同じ長さのものを用いたが、より長さの長い目盛板を用いることにより、あるいは目盛板６０に別の目盛板を継ぎ足すことにより、さらに高い位置までの計測が可能となる。いずれの形態でも、目盛の読み取り位置は前記目印２１の位置で行うことができるので、前面材２０はその目印２１を付した近傍のみが透明であれば、スライド式のスケールＡとして所期の目的を達成できることも、理解されよう。また、各部材の材料としてアルミニウム材のように軽量かつ高強度の材料を用いることにより、薄くかつ軽量でありながら剛性も高い取り扱いの容易なスライド式スケールとすることができる。さらに、作動紐３７を動滑車部材５０に安定状態で案内することができれば、案内用滑車４５、４６、あるいはカスガイ４９等は省略してもよい。また、スライド式のスケールＡを用いて実際の計測作業を行うときに、滑車４４、４５、４６や作動紐３７等に植物の葉がからまってしまうのを防止するために、図３に仮想線で示すように、保護カバー７０を動滑車部材５０の動きを邪魔しない位置に、着脱できるようにして取り付けることが望ましい。
【図面の簡単な説明】
【００３２】
【図１】本考案によるスライド式スケールの１実施の形態を示す斜視図。
【図２】図１に示すスライド式スケールを分解して示す斜視図。
【図３】図１に示すスライド式スケールを背面からみて示す斜視図。
【図４】図１に示すスライド式スケールの使用状態の一例を説明する図。
【符号の説明】
【００３３】
Ａ…スライド式スケール、Ｂ…稈長を計測しようとする植物、１０…外箱、２０…前面材、２１…目盛読み取り位置となる目印、３０…中間材、３１…第１の切り欠き、３２…底部、３３…貫通孔、３５…棒材、３６…ワッシャ、３７…作動紐、４０…背面材、４１…第２の切り欠き、４２…第３の切り欠き、４３…切り溝、４４…滑車、４５、４６…一対の案内用滑車、４７…磁性体金属板（例えば鉄板）、４８…ピン、４９…カスガイ、５０…動滑車部材、５１…枠体、５２…動滑車、５３…磁石板、６０…目盛板、６１…目盛、７０…保護カバー
【図１】
0003135560.tif 000003
【図２】
0003135560.tif 000004
【図３】
0003135560.tif 000005
【図４】
0003135560.tif 000006